(57)【要約】【課題】低解像度で画像品質が低下する。【解決手段】ドット配置パターンのみですべての中間調レベルにおいて常に同一の基調を維持したドット再現を行う閾値を有する。【選択図】　図２５
2004080065.tif 000002
【特許請求の範囲】
【請求項１】
多階調画像をディザマトリクスを用いて各ドット２値あるいは多値の画像データに変換する階調再現方法において、前記ディザマトリクスにより多階調画像が一部の濃度において閾値化されたときに、所定方向のライン基調に形成され、かつ基調以外の部分においてはハイパスフィルター特性を持つことを特徴とする階調再現方法。
【請求項２】
請求項１に記載の階調再現方法において、前記ディザマトリクスの一部の濃度間における双方のディザマトリクスを２値画像としたときに、両画像の差分画像においてハイパスフィルター特性を持つことを特徴とする階調再現方法。
【請求項３】
請求項１又は２に記載の階調再現方法において、前記ディザマトリクスにより多階調画像が一部の濃度において閾値化されたときに、その２次元空間周波数による極座標上の所定方向のライン基調の角度以外のパワースペクトルの分布が一様に近似することを特徴とする階調再現方法。
【請求項４】
請求項１ないし３のいずれかに記載の階調再現方法において、前記基調が万線基調であることを特徴とする階調再現方法。
【請求項５】
多階調画像を各ドット２値あるいは多値の画像データに変換するための閾値マトリクスにおいて、少なくとも一部の濃度について、所定方向のライン基調に形成され、かつ基調以外の部分においてはハイパスフィルター特性を持つことを特徴とする閾値マトリクス。
【請求項６】
請求項５に記載の閾値マトリクスにおいて、前記一部の濃度間における双方のマトリクスを２値画像としたときに、両画像の差分画像においてハイパスフィルター特性を持つことを特徴とする閾値マトリクス。
【請求項７】
請求項５又は６に記載の閾値マトリクスにおいて、前記多階調画像を一部の濃度について、２次元空間周波数による極座標上の所定方向のライン基調の角度以外のパワースペクトルの分布が一様に近似することを特徴とする閾値マトリクス。
【請求項８】
多色画像を複数の色成分に分解し、少なくとも１つの色成分の原画像を入力画像として、ディザマトリクスを用いて各ドット２値あるいは多値の画像データに変換処理する画像処理方法において、前記請求項１ないし４のいずれかに記載の階調再現方法を実行することを特徴とする画像処理方法。
【請求項９】
複数のドットからなる画像を出力するための画像データを処理する画像処理装置において、前記請求項８に記載の画像処理方法を実行する手段を含むことを特徴とする画像処理装置。
【請求項１０】
複数のドットからなる画像を形成する画像形成装置用の画像データを処理するプリンタドライバにおいて、前記請求項８に記載の画像処理方法を実行する手段を含むことを特徴とするプリンタドライバ。
【請求項１１】
複数のドットからなる画像を形成する画像形成装置において、前記請求項８に記載の画像処理方法を実行する手段を含むことを特徴とする画像形成装置。
【請求項１２】
請求項１１に記載の画像形成装置において、この画像形成装置はインクジェット記録装置又は熱転写記録装置であることを特徴とする画像形成装置。
【発明の詳細な説明】
【０００１】
【産業上の利用分野】
本発明は階調再現方法、閾値マトリクス、画像処理方法、画像処理装置、画像形成装置及びプリンタドライバに関する。
【０００２】
【従来の技術】
従来のプリンタ、ファクシミリ、複写機等の画像形成装置（画像記録装置）において、デジタル画像出力は、「１」と「０」すなわち「ＯＮ」と「ＯＦＦ」で構成される２値画像が主であったが、作像エンジンの進歩と高画質画像のニーズの高まりにより、１画素で複数の階調を表現する多値画像が主になっている。
【０００３】
例えば、インク滴を吐出して画像を形成（記録）するインクジェット記録装置において、階調記録を行う方式としては、インクの濃淡を変化させる濃度変調方式と異なるサイズのドットを利用したドットサイズ変調方式、更にはその両方を合わせた方式の３つが主に使用されている
【０００４】
この場合、インクジェット記録装置あっては、インクジェットヘッドの圧力発生手段、例えば、サーマルインクジェット方式の場合は、気泡を発生させるための発熱抵抗体であり、ピエゾ方式の場合は、液室壁を変形させるための電気機械変換素子であるピエゾ素子であり、静電方式の場合には電極に与える駆動波形の駆動電圧の大きさ、パルス幅、パルス数など変化させることで、ドットサイズを変化させるが、インクの広がりなどがあるため、せいぜい、ドットサイズとしては「大滴、中滴、小滴、印字なし」の４値程度が限界である。
【０００５】
ここで、一般的に使用されている２値化処理および多値化処理を適用した場合のドットパターンの一例を図４０に示している。同図（ａ）は２値化処理を行ってドット再現を行う場合の例、同図（ｂ）は濃度変調を行ってドット再現を行う場合の例、同図（ｃ）はドットサイズ変調を行ってドット再現を行う場合の例である。
【０００６】
このようなドットによる階調表現では、基本的に制御可能なドットサイズで情報量が決定する。制御できる段階が多ければ多い程情報量が増え、原画像データに近い高品質な出力画像が得られるが、上述したようにインクジェット記録装置等では、１〜３段階（０を含めて４段階）程度の制御しかできないものがほとんどである。濃度変調方式との組み合わせである程度の改善は図れるが、その分、色剤や記録ユニットの占める割合が増えるため、コストや装置のサイズから来る制約により、倍程度にしか改善することができない。
【０００７】
このような１画素当たりの情報量不足を補うために、単位面積当たりのドット数を制御することで階調表現を行う手法として、一般的には中間調処理と呼ばれる擬似階調表現が用いられる。擬似階調表現は、配置されたドットの数を濃度として表現し、点の密度を変化させて多くの階調を表現する。
【０００８】
擬似階調表現には、ディザ法が広く用いられ、代表的なものとして組織的ディザ法とランダムディザ法がある。組織的ディザ法はｎ×ｎ個の閾値からなるサブマトリクス（これをディザマトリクスという）を設定し、このディザマトリクスを入力画像に重ね合わせ、対応する各画素の濃淡レベルと閾値を比較し、入力画像の値の方が大きい場合は１（白）、小さい場合は０（黒）として２値表示する。ｎ×ｎ画素の処理が済んだら、順次ディザマトリクスを次のｎ×ｎ画素の位置に移動し、同じ処理を繰り返して画像を形成する。
【０００９】
例えば、図４１（ａ）に示すように入力された多値画像データに対して、同図（ｂ）に示すような所定の方法で作成されたｎ×ｎの閾値マトリクスであるディザマトリクスとの比較を行い、同図（ｃ）に示すように、その閾値以上（あるいは以下）の値を示す画素のみをドットに置き換える手法である。
【００１０】
同図ではＯＮ／ＯＦＦのみの２値について示しているが、それ以上の組み合わせを持つ多値については、図４２に示すように再現可能階調領域を例えば小ドット、中ドット、大ドットに区分し、図４３（ａ）〜（ｃ）に示すように、それぞれのドットサイズに応じた閾値マトリクスを適用し、それぞれを入力画像データと比較することで対応したドットへの置き換えを行うことになる。
【００１１】
また、ランダムディザ法とは、入力画像の各画素に対して乱数を発生させ、その値を閾値とする方法であるが、ランダムディザ法による場合、一般に形成した画像はざらついた画像となり、組織的ディザ法に比べ画質向上には不向きである。
【００１２】
一方、擬似階調表現には誤差拡散法もあるが、誤差拡散法はディザ法と比べるとかなり複雑な処理となる。図４４は２値誤差拡散の手順について示したものであるが、画素毎に閾値処理を行い、その際の誤差を保持しつつ後の計算に所定の比率で反映させている。これにより、ディザ処理では強制的に切り捨てられてしまう分の情報をも出力画像にフィードバックさせることができ、解像力等の面でディザ画像を上回る品質を得ることができる。
【００１３】
これらのディザ法や誤差拡散法については、より高画質な出力を目指して高解像度化が進められてきている。これは、高解像度にすることで個々のドットのサイズや相互間距離が小さくなり、ディザ法もしくは誤差拡散法によって作成されるドットパターンが見分け辛くなるためである。パターンとして人間の目に認識できなくなれば、それは１画素で多値表現を行っているのと同義となり、最近のインクジェット記録装置では２８８０ｄｐｉの解像度のものもある。
【００１４】
【発明が解決しようとする課題】
ところで、高解像度化によって画質面では改善されるものの、そのデメリットとして、記録ユニットにかかるコストの増加及び記録速度の低下が生じてくる。高解像度を実現するには、従来よりも小さなドットを形成する技術に加えてドット位置精度の面でもより高度な制御が必要とされ、必然的にコストが高くなり、また、１ドット当たりの被覆面積が小さくなるため、同じ構成の記録ユニットでは、より高解像の方が記録に時間がかかることになる。
【００１５】
ところが、実際には、速度やコストよりも高画質が要求されるケースの他に、あるレベル以上の画像品質が得られるならば速度やコストを最優先する場合もあり、かならずしも高画質のみが要求されるものではない。
【００１６】
しかしながら、これまでは全て高解像度化の延長で考えられており、高解像度のまま「ドット形成速度を上げる」、「記録ユニットの実装密度を上げる」というようなハードウエアによる対処法が採られている。これは、あくまでも高画質記録装置における高速化を図るものであって、低解像度で安価な装置を用いる場合の画質を向上させるというものではない。
【００１７】
高画質記録装置において高速化を図る場合、コストや実装面積の観点から制限がかかるため、記録シーケンスそのものを変更しない限り大幅な速度向上を実現することができず、また、記録シーケンスを変更した場合には、そのままでは高解像度用の画像処理が適用できなくなるため、新たな記録シーケンスに応じた画像処理が必要となるが、従来の装置では単純な画像処理が適用されるだけで、積極的に画像品質を向上させるということは行われていない。
【００１８】
本発明は上記の課題に鑑みてなされたものであり、低解像度／高速記録においても良好な画像品質が得られる階調再現方法、閾値マトリクス、画像処理方法、画像処理装置、画像形成装置及びプリンタドライバを提供することを目的とする。
【００１９】
【課題を解決するための手段】
上記の課題を解決するため、本発明にかかる階調再現方法は、ディザマトリクスにより多階調画像が一部の濃度において閾値化されたときに、所定方向のライン基調に形成され、かつ基調以外の部分においてはハイパスフィルター特性を持つ構成としたものである。
【００２０】
ここで、ディザマトリクスの一部の濃度間における双方のディザマトリクスを２値画像としたときに、両画像の差分画像においてハイパスフィルター特性を持つことが好ましい。また、ディザマトリクスにより多階調画像が一部の濃度において閾値化されたときに、その２次元空間周波数による極座標上の所定方向のライン基調の角度以外のパワースペクトルの分布が一様に近似することが好ましい。さらに、基調が万線基調であることが好ましい。
【００２１】
本発明に係る閾値マトリクスは、少なくとも一部の濃度について、所定方向のライン基調に形成され、かつ基調以外の部分においてはハイパスフィルター特性を持つ構成としたものである。
【００２２】
ここで、一部の濃度間における双方のマトリクスを２値画像としたときに、両画像の差分画像においてハイパスフィルター特性を持つことが好ましい。また、多階調画像を一部の濃度について２次元空間周波数による極座標上の所定方向のライン基調の角度以外のパワースペクトルの分布が一様に近似することが好ましい。
【００２３】
本発明に係る画像処理方法は、多色画像を複数の色成分に分解し、少なくとも１つの色成分の原画像を入力画像として、ディザマトリクスを用いて各ドット２値あるいは多値の画像データに変換処理するときに、本発明に係る階調再現方法を実行する構成とした。
【００２４】
本発明に係る画像処理方法は、複数のドットからなる画像を出力するための画像データを処理するときに、本発明に係る画像処理方法を実行する手段を含む構成としたものである。
【００２５】
本発明に係るプリンタドライバは、複数のドットからなる画像を形成する画像形成装置用の画像データを処理するときに、本発明に係る画像処理方法を実行する手段を含む構成としたものである。
【００２６】
本発明に係る画像形成装置は、複数のドットからなる画像を形成するときに、本発明に係る画像処理方法を実行する手段を含む構成としたものである。この画像形成装置は、インクジェット記録装置又は熱転写記録装置とすることが好ましい。
【００２７】
【発明の実施の形態】
以下、本発明の実施の形態を添付図面を参照して説明する。図１は画像形成装置としてのインクジェット記録装置の機構部の概略斜視説明図、図２は同機構部の側面説明図である。
【００２８】
このインクジェット記録装置装置は、記録装置本体１の内部に主走査方向に移動可能なキャリッジ、キャリッジに搭載したインクジェットヘッドからなる記録ヘッド、記録ヘッドへのインクを供給するインクカートリッジ等で構成される印字機構部２等を収納し、給紙カセット４或いは手差しトレイ５から給送される用紙３を取り込み、印字機構部２によって所要の画像を記録した後、後面側に装着された排紙トレイ６に排紙する。
【００２９】
印字機構部２は、図示しない左右の側板に横架したガイド部材である主ガイドロッド１１と従ガイドロッド１２とでキャリッジ１３を主走査方向（図２で紙面垂直方向）に摺動自在に保持し、このキャリッジ１３にはイエロー（Ｙ）、シアン（Ｃ）、マゼンタ（Ｍ）、ブラック（Ｂｋ）の各色のインク滴を吐出するインクジェットヘッドからなるヘッド１４をインク滴吐出方向を下方に向けて装着し、キャリッジ１３の上側にはヘッド１４に各色のインクを供給するための各インクタンク（インクカートリッジ）１５を交換可能に装着している。
【００３０】
インクカートリッジ１５は上方に大気と連通する大気口、下方にはインクジェットヘッド１４へインクを供給する供給口を、内部にはインクが充填された多孔質体を有しており、多孔質体の毛管力によりインクジェットヘッド１４へ供給されるインクをわずかな負圧に維持している。このインクカートリッジ１５からインクをヘッド１４内に供給する。
【００３１】
ここで、キャリッジ１３は後方側（用紙搬送方向下流側）を主ガイドロッド１１に摺動自在に嵌装し、前方側（用紙搬送方向上流側）を従ガイドロッド１２に摺動自在に載置している。そして、このキャリッジ１３を主走査方向に移動走査するため、主走査モータ１７で回転駆動される駆動プーリ１８と従動プーリ１９との間にタイミングベルト２０を張装し、このタイミングベルト２０をキャリッジ１３に固定しており、主走査モータ１７の正逆回転によりキャリッジ１３が往復駆動される。
【００３２】
また、記録ヘッドとしてここでは各色のヘッド１４を用いているが、各色のインク滴を吐出するノズルを有する１個のヘッドでもよい。さらに、ヘッド１４としては、後述するように、インク流路の壁面の少なくとも一部を形成する振動板と、この振動板を圧電素子（圧電素子）で変形させるピエゾ型インクジェットヘッドを用いている。
【００３３】
ただし、これに限るものではなく、例えば、インク流路の壁面の少なくとも一部を形成する振動板とこれに対向する電極とを備え、静電力で振動板を変形変位させてインクを加圧する静電型ヘッド、圧電素子を用いるものであって振動板の座屈変形を用いるもの、或いは、発熱抵抗体を用いてインク流路内でインクを加熱して気泡を発生させることによる圧力でインク滴を吐出させるいわゆるサーマル型のものなどを用いることもできる。
【００３４】
一方、給紙カセット４にセットした用紙３をヘッド１４の下方側に搬送するために、給紙カセット４から用紙３を分離給装する給紙ローラ２１及びフリクションパッド２２と、用紙３を案内するガイド部材２３と、給紙された用紙３を反転させて搬送する搬送ローラ２４と、この搬送ローラ２４の周面に押し付けられる搬送コロ２５及び搬送ローラ２４からの用紙３の送り出し角度を規定する先端コロ２６とを設けている。搬送ローラ２４は副走査モータ２７によってギヤ列を介して回転駆動される。
【００３５】
そして、キャリッジ１３の主走査方向の移動範囲に対応して搬送ローラ２４から送り出された用紙３を記録ヘッド１４の下方側で案内する用紙ガイド部材である印写受け部材２９を設けている。この印写受け部材２９の用紙搬送方向下流側には、用紙３を排紙方向へ送り出すために回転駆動される搬送コロ３１、拍車３２を設け、さらに用紙３を排紙トレイ６に送り出す排紙ローラ３３及び拍車３４と、排紙経路を形成するガイド部材３５、３６とを配設している。
【００３６】
記録時には、キャリッジ１３を移動させながら画像信号に応じて記録ヘッド１４を駆動することにより、停止している用紙３にインクを吐出して１行分を記録し、用紙３を所定量搬送後次の行の記録を行う。記録終了信号または、用紙３の後端が記録領域に到達した信号を受けることにより、記録動作を終了させ用紙３を排紙する。
【００３７】
また、キャリッジ１３の移動方向右端側の記録領域を外れた位置には、ヘッド１４の吐出不良を回復するための回復装置３７を配置している。回復装置３７は、キャップ手段と吸引手段とクリーニング手段を有している。キャリッジ１３は印字待機中にはこの回復装置３７側に移動されてキャッピング手段でヘッド１４をキャッピングされ、吐出口部（ノズル孔）を湿潤状態に保つことによりインク乾燥による吐出不良を防止する。また、記録途中などに記録と関係しないインクを吐出する（パージする）ことにより、全ての吐出口のインク粘度を一定にし、安定した吐出性能を維持する。
【００３８】
吐出不良が発生した場合等には、キャッピング手段でヘッド１４の吐出口（ノズル）を密封し、チューブを通して吸引手段で吐出口からインクとともに気泡等を吸い出し、吐出口面に付着したインクやゴミ等はクリーニング手段により除去され吐出不良が回復される。また、吸引されたインクは、本体下部に設置された廃インク溜（不図示）に排出され、廃インク溜内部のインク吸収体に吸収保持される。
【００３９】
次に、このインクジェット記録装置の記録ヘッド１４を構成するインクジェットヘッドについて図３乃至図７を参照して説明する。なお、図３は同ヘッドの分解斜視説明図、図４は同ヘッドの液室長手方向に沿う断面説明図、図５は図４の要部拡大説明図、図６は同ヘッドの液室短手方向に沿う断面説明図、図７は同ヘッドのノズル板の平面説明図である。
【００４０】
このインクジェットヘッドは、単結晶シリコン基板で形成した流路形成基板（流路形成部材）４１と、この流路形成基板４１の下面に接合した振動板４２と、流路形成基板４１の上面に接合したノズル板４３とを有し、これらによって液滴であるインク滴を吐出するノズル４５が連通するインク流路である加圧室４６、加圧室４６に流体抵抗部となるインク供給路４７を介してインクを供給する共通液室４８を形成し、これらの流路形成基板４１のインクに接する面となる加圧室４６、インク供給路４７、共通液室４８を各壁面には有機樹脂膜からなる耐液性薄膜５０を成膜している。
【００４１】
そして、振動板４２の外面側（液室と反対面側）に各加圧室４６に対応して積層型圧電素子５２を接合し、この積層型圧電素子４２はベース基板５３に接合して固定し、この圧電素子５２の列の周囲にはスペーサ部材５４をベース基板５３に接合している。
【００４２】
この圧電素子５２は、図５にも示すように、圧電材料５５と内部電極５６とを交互に積層したものである。この圧電常数がｄ３３である圧電素子５２の伸縮により加圧室４６を収縮、膨張させるようになっている。圧電素子５２に駆動信号が印加され充電が行われると、図５の矢示Ａ方向に伸長し、また圧電素子５２に充電された電荷が放電すると矢示Ａ方向と反対方向に収縮するようになっている。ベース基板５３及びスペーサ部材５４には共通液室４８に外部からインクを供給するためのインク供給口４９を形成する貫通穴を形成している。
【００４３】
また、流路形成基板４１の外周部及び振動板４２の下面側外縁部をエポキシ系樹脂或いはポリフェニレンサルファイトで射出成形により形成したヘッドフレーム５７に接着接合し、このヘッドフレーム５７とベース基板５３とは図示しない部分で接着剤などで相互に固定している。さらに、圧電素子５２には駆動信号を与えるために半田接合又はＡＣＦ（異方導電性膜）接合若しくはワイヤボンディングでＦＰＣケーブル５８を接続し、このＦＰＣケーブル５８には各圧電素子５２に選択的に駆動波形を印加するための駆動回路（ドライバＩＣ）５９を実装している。
【００４４】
ここで、流路形成基板５１は、結晶面方位（１１０）の単結晶シリコン基板を水酸化カリウム水溶液（ＫＯＨ）などのアルカリ性エッチング液を用いて異方性エッチングすることで、各加圧室５６となる貫通穴、インク供給路５７となる溝部、共通液室５８となる貫通穴をそれぞれ形成している。
【００４５】
振動板４２はニッケルの金属プレートから形成したもので、エレクトロフォーミング法で製造している。この振動板４２は加圧室４６に対応する部分に変形を容易にするための薄肉部６１及び圧電素子５２と接合するための厚肉部６２を形成するとともに、液室間隔壁に対応する部分にも厚肉部２３を形成し、平坦面側を流路形成基板４１に接着剤接合し、厚肉部をフレーム１７に接着剤接合している。この振動板２の液室間隔壁に対応する厚肉部６３とベース基板５３との間には支柱部６４を介設している。この支柱部６４は圧電素子５２と同じ構成である。
【００４６】
ノズル板４３は各加圧液室４６に対応して直径１０〜３０μｍのノズル４５を形成し、流路形成基板４１に接着剤接合している。ここで、複数のノズル４５が複数のドット形成手段を構成しており、図７に示すように、ノズル４５の列（ノズル列）を主走査方向に対して直交させて配置し、ノズル４５、４５間のピッチは２×Ｐｎである。また、１つのヘッドにはノズル列を距離Ｌを隔てて２列、各ノズル列を副走査方向にピッチＰｎだけずらして千鳥状に配置している。したがって、ピッチＰｎの画像を１回の主走査及び副走査で形成することができる。
【００４７】
このノズル板４３としては、ステンレス、ニッケルなどの金属、金属とポリイミド樹脂フィルムなどの樹脂との組み合せ、、シリコン、及びそれらの組み合わせからなるものを用いることができる。また、ノズル面（吐出方向の表面：吐出面）には、インクとの撥水性を確保するため、メッキ被膜、あるいは撥水剤コーティングなどの周知の方法で撥水膜を形成している。
【００４８】
このように構成したインクジェットヘッドにおいては、圧電素子５２に対して選択的に２０〜５０Ｖの駆動パルス電圧を印加することによって、パルス電圧が印加された圧電素子５２が積層方向に変位して振動板４２をノズル４５方向に変形させ、加圧液室４６の容積／体積変化によって加圧液室４６内のインクが加圧され、ノズル４５からインク滴が吐出（噴射）される。
【００４９】
そして、インク滴の吐出に伴って加圧液室４６内の液圧力が低下し、このときのインク流れの慣性によって加圧液室４６内には若干の負圧が発生する。この状態の下において、圧電素子５２への電圧の印加をオフ状態にすることによって、振動板４２が元の位置に戻って加圧液室４６が元の形状になるため、さらに負圧が発生する。このとき、インク供給口４９から共通液室４８、流体抵抗部であるインク供給路４７を経て加圧液室４６内にインクが充填される。そこで、ノズル４５のインクメニスカス面の振動が減衰して安定した後、次のインク滴吐出のために圧電素子５２にパルス電圧を印加しインク滴を吐出させる。
【００５０】
次に、このインクジェット記録装置の制御部の概要について図８を参照して説明する。
この制御部は、この記録装置全体の制御を司るマイクロコンピュータ（以下、「ＣＰＵ」と称する。）８０と、所要の固定情報を格納したＲＯＭ８１と、ワーキングメモリ等として使用するＲＡＭ８２と、ホスト側から転送される画像データ（ドットデータ或いはドットパターンデータと称する。）を格納する画像メモリ（ラスデータメモリ）８３と、パラレル入出力（ＰＩＯ）ポート８４と、入力バッファ８５と、パラレル入出力（ＰＩＯ）ポート８６と、波形生成回路８７と、ヘッド駆動回路８８及びドライバ８９等を備えている。
【００５１】
ここで、ＰＩＯポート８４にはホスト１００のプリンタドライバ１０１側から転送される画像データなどの各種情報及びデータ、各種センサからの検知信号等が入力され、またこのＰＩＯポート８４を介してホスト側や操作パネル側に対して所要の情報が送出される。
【００５２】
また、波形生成回路８７は、記録ヘッド１４の圧電素子５２に対して印加する駆動波形を生成出力する。この波形生成回路８７としては、後述するように、ＣＰＵ８０からの駆動波形データをＤ／Ａ変換するＤ／Ａ変換器を用いることで、簡単な構成で所要の駆動波形を生成出力することができる。
【００５３】
ヘッド駆動回路８８は、ＰＩＯポート８６を介して与えられる各種データ及び信号に基づいて、記録ヘッド１４の選択されたチャンネルの圧電素子５２に対して波形生成回路８７からの駆動波形を印加する。さらに、ドライバ８９は、ＰＩＯポート８６を介して与えられる駆動データに応じて主走査モータ１７及び副走査モータ２７を各々駆動制御することで、キャリッジ１３を主走査方向に移動走査し、搬送ローラ２４を回転させて用紙３を所定量搬送させる。
【００５４】
この制御部のうちのヘッド駆動制御に係わる部分について図９ないし図１１を参照して説明する。なお、図９は同駆動制御に係わる部分のブロック説明図、図１０はヘッド駆動回路の一例を示すブロック図、図１１は同ヘッド駆動制御に係わる部分の作用説明に供する説明図である。
【００５５】
主制御部９１は、ホスト側から送られてくる印字データとしてのフォントデータ（ドットデータ）を処理して、ヘッドの並びに対応した縦横変換を行い、また、インク滴を大滴、小滴、非印字の３値を打ち分けるために必要な２ビットの駆動データＳＤを生成してヘッド駆動回路（ドライバＩＣ）８８に出力する。また、ドライバＩＣ８８に対しては、この他、クロック信号ＣＬＫ、ラッチ信号ＬＡＴ、駆動波形として画像ドットを形成するサイズのドット（大滴）に対応した駆動波形、小滴に対応した駆動波形を選択するための駆動波形選択信号Ｍ１〜Ｍ３を出力する。さらに、この主制御部９１は内部ＲＯＭ８１に格納した駆動波形データを読み出して駆動波形生成回路８７に与える。
【００５６】
駆動波形生成回路８７は、主制御部９１から与えられる駆動波形データをＤ／Ａ変換してアナログ信号として出力するＤ／Ａコンバータ９２と、Ｄ／Ａコンバータ９２からのアナログ信号を実際の駆動電圧まで増幅する増幅器９３と、増幅出力をヘッドの駆動による電流を十分供給できるように増幅する電流増幅器９４とを含み、例えば、図１１に示すような１駆動周期内に複数の駆動パルスを含む駆動波形Ｐｖを生成してドライバＩＣ８８に与える。
【００５７】
このドライバＩＣ（ヘッド駆動回路）８８は、図１０に示すように、主制御部９１からのクロック信号ＣＫによって駆動データＳＤを取り込むシフトレジスタ９５と、シフトレジスタ９５のレジスト値をラッチ信号ＬＡＴでラッチするラッチ回路９６と、ラッチ回路９６にラッチされた２ビットの駆動データによって駆動波形選択信号Ｍ１〜Ｍ３（ロジック信号）を選択するデータセレクタ９７と、データセレクタ９７の出力（ロジック信号）を駆動電圧レベルに変換するレベルシフタ９８と、このレベルシフタ９８の出力でオン／オフが制御されるトランスミッションゲート９９とからなる。このトランスミッションゲート９９は、駆動波形生成回路８７からの駆動波形Ｐｖが与えられ、記録ヘッド（インクジェットヘッド）１４の各ノズルに対応する圧電素子５２に接続されている。
【００５８】
したがって、このヘッド駆動回路８８は、駆動データＳＤに応じてデータセレクタ９７により、駆動波形選択信号Ｍ１〜Ｍ３の１つが選択され、ロジック信号である選択した駆動波形選択信号Ｍ１〜Ｍ３をレベルシフタ９８により駆動電圧レベルに変換し、トランスミッションゲート９９のゲートに与える。
【００５９】
これにより、トランスミッションゲート９９は選択された駆動波形選択信号Ｍ１〜Ｍ３の長さに応じてスイッチングされるので、トランスミッションゲート９９が開状態になっているチャンネルに対して駆動波形Ｐｖを構成する駆動パルスが印加される。
【００６０】
例えば、図１１（ａ）に示すような複数の駆動パルスを含む駆動波形Ｐｖが与えられているとき、期間Ｔ０〜Ｔ１の間だけ開状態になるトランスミッションゲート９９からは同図（ｂ）に示すように１個の駆動パルスが出力されて圧電素子５２に印加されるので、吐出される滴の大きさは小滴となる。同様に、期間Ｔ０〜Ｔ２の間だけ開状態になるトランスミッションゲート９９からは同図（ｃ）に示すように２個の駆動パルスが出力されて圧電素子５２に印加されるので、吐出される滴の大きさは中滴となる。さらに同様に、期間Ｔ０〜Ｔ３の間開状態になるトランスミッションゲート９９からは同図（ｄ）に示すように５個の駆動パルスが出力されて圧電素子５２に印加されるので、吐出される滴の大きさは大滴となる。
【００６１】
このよう複数の駆動パルスを含む駆動波形を生成して、圧電素子に印加する駆動パルス数を選択することで、１つの駆動波形から小滴用、中滴用、大滴用の各波形を生成しているので、駆動波形を供給する回路、信号線が１つでよく、コスト低減、回路基板、伝送線の小型化が図れる。
【００６２】
次に、このインクジェット記録装置に画像データ等を転送する本発明に係る閾値マトリクスを含み、本発明に係る階調再現方法を含む本発明に係る画像処理方法を実行する手段を含む本発明に係るプリンタドライバを搭載する本発明に係る画像処理装置であるホスト側について図１２を参照して説明する。
【００６３】
上述したように、上記の記録装置では、装置内に画像の描画または文字のプリント命令を受けて実際に記録するドットパターンを発生する機能を持たない構成としているので、画像処理装置としてのホスト側の本発明に係る階調再現方法を実行する本発明に係る閾値マトリクスを用いたプリンタドライバでドットパターンのデータを作成してインクジェット記録装置側に転送する。
【００６４】
すなわち、プリンタドライバ１０１は、ホストコンピュータで実行されるアプリケーションソフトなどから画像データをＣＭＭ処理部１０２、ＢＧ／ＵＣＲ，γ補正部１０３及びズーミング処理部１０４で処理した後、本発明に係る閾値マトリクス（テーブル）１０５を用いて多値画像データをドットパターンに置換して出力する。
【００６５】
そこで、まず、所定のライン基調で階調再現を行うための閾値マトリクスの作成方法について図１３以降をも参照して説明する。
画像処理において、形成される画像の解像度が人間の目の分解能を超える程の高解像度化が実現できれば、どのような処理を用いても理論上画質に影響は無いが、逆に、人間の視覚で判別できる程度の解像度では、処理そのものに起因する不具合が目に付く可能性が生じてくる。
【００６６】
図１３は３００ｄｐｉ程度の低解像度記録で一般的に使用される中間調処理法について、実際に形成されるドットパターンの一例を示したものであり、同図（ａ）の入力画像データに対して、Ｂａｙｅｒ型ディザ処理を施した場合の出力画像は同図（ｂ）に示すようになり、誤差拡散処理を施した場合の出力画像は同図（ｃ）に示すようになる。
【００６７】
このように、本来１画素で多値表現すべきデータを、より表現力の少ない記録装置で再現するためには、同図のように単位面積当たりのドット個数、すなわちドット面積率にて疑似階調表現を行うことになるなる。
【００６８】
これらの例として挙げた２種類の中間調処理方法は、単に階調レベルと面積率の整合を取っているだけではなく、ドットの配置に偏りが生ないようにほぼ均等に配置され、配置パターンそのものも目に留まりにくい高周波特性を持つように調整されている。これらの処理を６００ｄｐｉ、１２００ｄｐｉといった高解像度記録に適用すると、ドットの配置パターンが殆ど目に付かず、ドットの分布にムラも無い非常に良好な画像品質を得ることができるようになる。
【００６９】
これに対して、１５０ｄｐｉ、３００ｄｐｉといった低解像度記録を行うと、高周波特性を持つように調整された処理であっても、さすがにドットの配置パターンそのものが目に付くようになってくる。本来、原画像データでは１画素で表現しているところを、複数の画素を用いて表現しているため、元々の原画像にはないテクスチャーパターンが出力画像上に形成されることになる。
【００７０】
図１３（ｂ）に示す例もそれであるが、図１４（ａ）に示すような入力画像データを実寸で７２ｄｐｉという相当に粗い画像で出力した場合により明確になるように、同図（ｂ）に示すように、Ｂａｙｅｒ型ディザ処理特有のテクスチャーが生じ変化している部分、またドットが綺麗に整列してテクスチャーの全く無い部分が入り交じり、非常に汚い画像となる。
【００７１】
これに対し、誤差拡散処理では、一見ランダムにも見える配置でドットが形成されている。全ての階調レベルにおいて、このドット配置のランダム性が維持されるため、図１３（ｃ）に示すように、階調レベルによってテクスチャーが切り替わるということもなく、定型のテクスチャーそのものが存在しない。定型のテクスチャーが存在しないことで、記録装置における機械的な変動に対する干渉が発生し難く、またドット配置にある程度の自由度が得られるため、Ｂａｙｅｒ型ディザ等に比べて高い解像特性が得られる。
【００７２】
ところが、誤差拡散処理では、図１５に示すように、Ｂａｙｅｒ型ディザ等と比較してみると粒状度の点では大きく差が付いてしまうことがある。なお、同図は３００ｄｐｉで記録した場合の比較である。このように、数々の利点をもたらすはずのランダム性が、低解像度では、逆に、目についた時に汚いノイズ成分として認識され易く、官能評価ではＢａｙｅｒ型ディザの様に整然と揃ったテクスチャーが発生する方が良好に受け取られる傾向にある。
【００７３】
これらのことから、ドットの配置によって形成されるテクスチャーパターンの善し悪しが画質に大きく作用することが分かる。例にあげた上記２種類の処理方法から、低解像度で良好な画像品質を得るには、整列性の良いドット配置パターンを形成し、それを各階調レベルに渡って変化させない（もしくは、変化を感じさせない）ことが必要である。
【００７４】
そこで、本発明に係る閾値マトリクスは、ドット配置パターンのみですべての中間調レベルにおいて常に所定のライン基調（整列性を持ったドット配置パターン）を維持したドット再現を行うマトリクス構成としている。これにより、低解像度で１〜３ｂｉｔ程度の少値表現を行う記録装置で記録する場合の画像品質を向上することができる。中でも、上述したドット径変調が可能なインクジェット記録装置に好適な印字データを得ることができるようになる。
【００７５】
ここで、整列性を持ったドット配置パターン（以下、「基調」という。）を考える場合、上述したように記録装置の機械的な変動との相関を常に考慮しなければならない。すなわち、上述したインクジェット記録装置でもそうであるが、図１６に示すように、用紙３の送りに合わせて小型のヘッド１４及びキャリッジ１３等を含む記録ユニットが主走査方向移動しながら記録を行っていく。このとき、副走査方向の紙送り精度や主走査方向のヘッド移動速度にムラが発生すると、ドットの基調と干渉して、縦横のスジとして認識されてしまうおそれがある。
【００７６】
例えば、図１７（ｂ）は同図（ａ）に示すＢｅｙｅｒ型ディザの一階調パターンを用いて出力した場合の干渉について示しているが、垂直・水平に基調が揃うと、主走査・副走査の変動Ａ、Ｂと同期しやすくなってしまうことが分かる。特に人間の目は０°や９０°（１８０°や２７０°）方向に対して感度が高いので、垂直・水平に揃いやすい基調は避ける方が良い。しかし、誤差拡散で述べたように、最も干渉を起こしにくいランダム型は、低解像度ではノイズ成分が強調して認識されてしまうために好ましくない。
【００７７】
そこで、ここでは、図１８に示すように斜め基調のドット配置となるようにしている。特に、同図（ａ）に示す特に４５°斜め基調や１３５°斜め基調などの万線基調とすることによって、主走査方向及び副走査方向のいずれの変動に対しても等しい効果が得られる。さらに、人間の視覚は斜め方向に対してはやや感度が鈍くなるため、垂直・水平の基調よりも目立ち難いという特徴もある。ここでは、あくまでも基調を揃えることが主眼であり、本来は不具合である干渉を目立たせることが主眼ではないので、この特性は利点となる。
【００７８】
なお、図１８の万線基調は「万線型ディザ」として電子写真記録で用いられてきている。この電子写真記録では、帯電した光半導体上にレーザーで潜像を形成し、トナーを付着・転写させることで記録を行うので、レーザーのパワー変調によりドットのサイズを何段階にも制御できる反面、トナーの付着・転写不良が発生し易いため、あまり小さいドットによる階調表現は適していないことから、できるだけドットを集中させて徐々に大きなドットを形成していく面積変調方式のディザ（ＡＭディザ）が一般的に採用されている。
【００７９】
万線型ディザは、このＡＭディザの一種であり、指向性はあるものの、ドットを渦巻き状に成長させる「集中型ディザ」よりも記録密度（線数）を高められるという利点がある。
【００８０】
しかしながら、この電子写真用万線ディザをそのままインクジェット記録装置やその他の記録方式に適用しても基調が揃うことにはならない。すなわち、電子写真では、図１９（ａ）に示すように、ドットサイズだけでなくドット形成位置をずらすことも可能であるため、同図（ｂ）に示すようにドットをいくら配置しても、つまり階調レベルが変化しても斜線形状を崩すことなく階調を表現することができる。
【００８１】
これに対して、インクジェット記録装置の場合、図２０（ａ）に示すように、ドット形成位置はあくまでも記録解像度によって決まるピッチに固定されてしまう。そのため、同図（ｂ）に示すように、僅か数ドット増えただけで基調が変わってしまうことになり、目的の基調変化しない（もしくは目立たない）処理法からは外れてしまうことになる。
【００８２】
特に、一般的なディザ処理では、処理機構の単純化（高速化と低コスト化のため）を目指して、同じマスクが正方形状にタイリングされて使用されるため、例え１ドットの増加であっても、タイリングの周期で垂直・水平に揃ったパターンとして認識されることとなる。
【００８３】
例えば、図２１（ａ）に示すような４×４のマスクを用いて同図（ｂ）に示すようにタイリングを行った場合、全体として見ると垂直・水平にドットが揃うことになるため、同図（ｃ）に示すように、基調としては格子状の基調になってしまう。
【００８４】
そこで、上記万線基調を維持するために、まずこのタイリングによる基調変化を回避するため、１階調レベル当たり３ドット以上を同時に発生させるようにしている。
【００８５】
すなわち、斜め万線基調で再現を行う場合、図２２（ａ）に示すように１階調レベル当たり１ドットのマスクを同図（ｂ）に示すようにタイリングすると、同図（ｃ）に示すように垂直・水平の格子基調となる。また、図２３（ａ）に示すように１階調レベル当たり２ドットのマスク（これ自体は斜めにドットが配置されている）を同図（ｂ）に示すようにタイリングすると、同図（ｃ）に示すように斜め基調となるものの、４５°と１３５°が交わった基調となってしまう。
【００８６】
これに対して、図２４（ａ）に示すように、１階調レベル当たりのドット数を３ドット以上とすることで、同図（ｂ）に示すようにタイリングを行っても、同図（ｃ）に示すように、一方向の斜め基調のみとなる。
【００８７】
この場合、１階調レベル当たり３ドット以上を同時に形成するということは、同じ階調再現能力を得るために３×３＝９倍以上のサイズのマスクサイズとなる。この９倍以上という値は大きいようにも見えるが、誤差拡散処理に必要とされるバッファメモリ等と比較すると微々たるものであり、極端に大きなマスクを基準としない限り、処理速度低下やコストアップに影響することはない、ただし、高速化のためには、マスクの縦横のサイズがコンピュータの処理し易い、すなわち、メモリー上に展開した際に端数の発生しない８の倍数になるよう設定する。
【００８８】
次に、マスクサイズの拡大について説明する。図２５（ａ）に示すような斜め万線基調となる基準マスクを基準として、同図（ｂ）に示すように４ドット同時発生時のマスクを形成し、更に同図（ｃ）に示すように基準となるマスクの１マス１マスを、必要な階調数となる様に更に細かいサブマトリクスへと分割する。この際、分割するサブマトリクスは基準となるマスクと相似形の斜め万線型とすることで、基調を崩すパターンが発生するのを防ぐことができる。
【００８９】
例えば、同図（ｄ）はサブマトリクスを３×３としたもので３６階調を表現可能になる。また、同図（ｅ）はサブマトリクス４×４としたもので６４階調を表現可能になる。なお、同図（ｆ）に示すように２×２のマトリクスも可能であるが、２×２のマトリクスではチェッカーフラグ様の基調が階調表現の過程で発生してしまう。そこで、本発明では、サブマトリクスの最小単位を３×３の斜め万線マスクとしている。
【００９０】
このようなサブマトリクス化によって、斜め万線基調を崩すような別の基調の発生を抑制することが可能となる。
【００９１】
ところで、上述したような万線基調などの所定の方向のライン基調に形成される閾値マトリクス（ディザマトリクス）を使用する場合においても、一部の濃度において、低線数化、すなわち階調の連続性が途切れることによる画質低下が発生する場合がある。すなわち、所定の方向のライン基調に形成されたマトリクスパターンの一部を図２６（ａ）、（ｂ）に示しているが、このようなライン基調を維持することが困難になる濃度が存在する。
【００９２】
例えば、図２７（ａ）に示す階調グラデーション画像のように、Ａ部の濃度において、マトリクスパターンが同図（ｂ）に示すように低線数化することで、階調の連続性が途切れて画質低下が発生する場合が生じる。
【００９３】
そこで、本発明では、所定の方向のライン基調に形成されるような閾値マトリクス（ディザマトリクス）において、一部の濃度における低線数化による画質の低下を解決するため、低線数化した濃度範囲部を選定し、双方の濃度間のマトリクスのドット配置をハイパスフィルター特性及び所定方向のライン基調を持つように改めて配置する。
【００９４】
ハイパスフィルター特性には、空間周波数分析による人間の視覚の空間周波数特性を適用し、空間周波数特性の低いものを抽出する。図２８は、人間の視覚特性を表したグラフを示したものである。人間の視覚の空間周波数特性は、網膜上の空間周波数ｆから次の（１）式で近似される。
【００９５】
【数１】
2004080065.tif 000003
【００９６】
図２９（ｂ）は上述したハイパスフィルタ特性を持たせたマトリクスのライン基調以外の部分の一例を示すものであり、このライン基調以外の部分の特性は同図（ｂ）に示すようなハイパスフィルター特性となっている。
【００９７】
また、図３０は所定の方向のライン基調に形成され、かつ基調以外の部分においてハイパスフィルター特性を持つマトリクスによる階調グラデーション画像の例を示している。
【００９８】
すなわち、前述した図２７（ａ）のＡ部の濃度部分においては、図３０（ａ）に示すライン基調の部分と同図（ｂ）に示すハイパスフィルター特性を持つライン基調以外の部分とを組み合わせた同図（ｃ）に示すような本発明に係るディザマトリクスを用いることで、同図（ｄ）に示すように濃度が連続した階調グラデーション画像が得られる。
【００９９】
このように、所定方向のライン基調が形成されるだけでは階調の連続性が失われる一部の濃度において、所定のライン基調と基調以外の部分でハイパスフィルター特性を持つマトリクスとすることによって、低線数化（階調の連続性の喪失）を抑制することができ、ライン基調の連続性を高めることができて、再現した画像の品質が向上する。
【０１００】
この場合、一部の濃度間における双方のディザマトリクスを２値画像としたときに、両画像の差分画像においてハイパスフィルター特性を持つことになる。
【０１０１】
すなわち、ディザ法では、低い濃度側で設定された閾値ドットは、高い濃度側でも必ず存在する。上述のディザマトリクスの一部の濃度間における双方において、濃度が低い側をＡマスク、濃度が高い側をＢマスクとすると、ディザ法の性質上、Ａマスクに存在するライン基調は、Ｂマスクにも必ず存在する。したがって、Ｂマスクを２値化した画像から、Ａマスクを２値化した画像の差分を求めると、ライン基調が無い画像になる。
【０１０２】
つまり、図３１（ａ）に示すように、Ａマスクを用いるＡ部の濃度とＢマスクを用いるＢ部の濃度との間において、同図（ｂ）に示すＡマスクと同図（ｃ）に示すＢマスクとの差分（Ｂ−Ａ）を採ると、同図（ｄ）に示す差分画像（差分パターン）が得られ、この差分画像は同図（ｅ）に示すように前述したハイパスフィルタ特性を持つことになる。
【０１０３】
また、本発明に係るマトリクスを用いて多階調画像を一部の濃度において閾値化したときに、その２次元空間周波数による極座標上の所定方向のライン基調の角度以外のパワースペクトルの分布が一様に近似する。
【０１０４】
すなわち、画像の空間周波数のパワースペクトルは、次の（２）式で定義される。
【０１０５】
【数２】
2004080065.tif 000004
【０１０６】
この値は空間周波数（ｕ，ｖ）の強さを表す。（ｕ，ｖ）から方向性を抽出するには、これを極座標であらわしてＰ（ｒ，θ）としたのち、次の（３）式で求める。
【０１０７】
【数３】
2004080065.tif 000005
【０１０８】
上述したように、本発明に係るマトリクスは、所定の方向のライン基調に形成され、かつ基調以外の部分においてハイパスフィルター特性を持つ。ライン基調の部分においては、所定方向のみのライン基調があることから、極座標上のパワースペクトルは所定方向の角度のみ強い値を持つ。また、基調以外の部分においては、ハイパスフィルター特性を持つことから、極座標上のパワースペクトルの値は一様に近似することになる。
【０１０９】
図３２（ａ）は本発明に係るマトリクスの極座標上のパワースペクトルを、同図（ｂ）はライン角度４５度を除いた極座標上のパワースペクトルの分布を示したものである。同図（ａ）に示すように、マトリクスの極座標上のパワースペクトルでは４５度部分のみが強い値を持ち、同図（ｂ）に示すように、極座標上の４５度を除いたパワースペクトルでは、値は一様に近似している。
【０１１０】
したがって、マトリクスは４５度のライン基調方向に形成されており、それ以外の角度のパワースペクトルは、ハイパスフィルター特性により一様に近似していることになる。
【０１１１】
これに対して、従来の組織的ディザ法の代表的なマスク手法である、ベイヤー型ディザマトリクスおよび集中型ディザマトリクスによる図３２と同じ濃度によるパワースペクトル分布は、図３３及び図３４にそれぞれ示すようになる。これらは、それぞれ複数の角度で値が高くなっており、本発明に係るマトリクスの特徴が従来のマトリクスと異なることが分かる。
【０１１２】
このように、低線数化を抑制したマトリクスにより所定の方向のライン基調の連続性が高まり、連続した階調表現による所望の品質の多階調画像を再現することができる。また、誤差拡散法に比べ、マスク手法を使用することにより処理が単純になり処理速度（印刷速度、画像処理速度、或いは画像形成速度）の高速化がはかれる。この場合、所定の方向のライン基調を斜め方向とする、万線基調とすることにより、斜め方向のライン基調が画像形成装置による横スジ状のノイズを低減し、より高品質な多階調画像の出力を得ることができるようになる。
【０１１３】
そして、このような閾値マトリクス、階調再現方法を、多色画像を複数の色成分に分解し、少なくとも１つの色成分の原画像を入力画像とした多色画像の画像処理方法に適用することで、より高画質な多色画像を出力できる。
【０１１４】
多色画像形成装置、一般にカラー印刷装置では、等和色であるシアン、マゼンタ、イエローの３つの基本色が用いられる。また、インクジェットカラー印刷装置では、明度なども加味し、所望の色彩の外観を向上させるため、これらの３色にさらにブラックを加え、４色の原色を用いて印刷を行うものが主流になっている。さらに、最近では印刷画質の向上のため、基本色を組み合わせた多次色を予め用意して、さらに多くの色を用いた印刷を行うものも多くなってきている。
【０１１５】
これらの装置のように、複数の色成分に分解し、それぞれの色成分の原画像を入力画像とする多色画像形成方法は、色成分単位で擬似階調表現処理を行う。したがって、本発明を適用することで、各色成分単位でのライン基調の連続性が高まり、結果として単色画像、多色画像において、より高画質な画像を形成することができる。
【０１１６】
特に、マトリクスを用いて各ドット２値あるいは多値の画像データに変換する画像形成装置において、特におよそ３００ｄｐｉ以下の低解像度な精細度で出力する（画像形成する）場合に適用することで、画像形成速度、印刷速度の高速化と高画質化を図ることができる。
【０１１７】
すなわち、一般に擬似階調表現処理を使用する画像形成装置は、単位あたりのドット密度すなわち解像度を上げて画質を向上させている。しかし、解像度を上げることは同時に処理する画像データ量も面積単位で大きくなるため、処理時間も多く必要とする。３００ｄｐｉの解像度の画像形成装置においての擬似階調表現処理では、一般に１インチあたり最高で約１５０本の線を表現するのが限界とされ、高画質化が困難といわれている。
【０１１８】
上述した所定方向のライン基調を持つディザマトリクスによる擬似階調表現処理においては、一部の濃度において人間の視覚上では低線数化が発生し、特に３００ｄｐｉの解像度ではさらに線数が低くなることで、階調表現の連続性が失われ、画質低下が目立つことになる。このような画像形成装置における出力形態（低解像度での出力）で画像形成する場合に本発明を適用することで、低線数化を抑制し所定方向のライン基調の連続性が高まり、連続した階調表現による所望の品質の多階調画像を形成することができる。
【０１１９】
また、上記実施形態ではホスト側のプリンタドライバで閾値マトリクスをテーブルとして保持する例で説明しているが、図３５に示すように、プリンタドライバ１０１側にはホストコンピュータで実行されるアプリケーションソフトなどから画像データを処理するＣＭＭ処理部１０２及びＢＧ／ＵＣＲ，γ補正部１０３のみを有し、インクジェット記録装置２００側の制御部にズーミング処理部１０４及び本発明に係る閾値マトリクス１０５を格納したＲＯＭなどを備えて、ドット配置への変換はインクジェット記録装置側で行うようにすることもできる。何れの場合も、入力画像データに対して１対１の比較で処理を行うことができるので、高速かつ低コストで画像処理を行うことができるようになる。
【０１２０】
また、上記実施形態では主にインクジェット記録装置及びそのホストに本発明を適用する例で説明したが、ドットで画像を形成できる（ドット再現で画像を形成する）画像形成装置、例えば熱転写記録装置などにも同様に適用することができる。さらに、レーザープリンタ、ＬＥＤプリンタなどの電子写真方法を用いた画像形成装置にも適用することができる。
【０１２１】
熱転写記録装置は、図３６に示すように、発熱体３０１を有するサーマルヘッド３００と加圧ローラ３０３との間で用紙３０４とインクシート３０５とを挟んで送りながら、サーマルヘッド３００の発熱体３０１を駆動することによって、インクシート３０５のベース層３０６上の所定領域のワックス層３０７を用紙３０４に転写して画像を記録する。
【０１２２】
また、電子写真方法を用いた画像形成装置の一例について図３７及び図３８を参照して簡単に説明する。なお、図３７は画像形成装置の概略構成図、図３８は同画像形成装置を構成するプロセスカートリッジの概略構成図である。
【０１２３】
この画像形成装置４４０は、マゼンダ（Ｍ）、シアン（Ｃ）、イエロー（Ｙ）、ブラック（Ｂｋ）の４色でフルカラー画像を形成するレーザプリンタの一例であり、各色用の画像信号に応じたレーザビームを出射する４つの光書き込み装置４４２Ｍ、４４２Ｃ、４４２Ｙ、４４２Ｂｋと、作像用の４つのプロセスカートリッジ４４１Ｍ、４４１Ｃ、４４１Ｙ、４４１Ｂｋと、画像が転写される記録用紙を収納する給紙カセット４４３と、給紙カセット４４３から記録用紙を給紙する給紙ローラ４４４と、記録用紙を所定のタイミングで搬送するレジストローラ４４５と、記録用紙を各プロセスカートリッジの転写部に搬送する転写ベルト４４６と、記録用紙に転写された画像を定着する定着装置４４９と、定着後の記録用紙を排紙トレイ４５１に排紙する排紙ローラ４５０等を備えた構成となっている。
【０１２４】
４つのプロセスカートリッジ４４１Ｍ、４４１Ｃ、４４１Ｙ、４４１Ｂｋの構成は同じであり、図３４に示すように、各プロセスカートリッジ４４１は、ケース内に像担持体であるドラム状の感光体４５２と、帯電ローラ４５３と、現像器４５４と、クリーニングブレード４５９等を一体に備えている。
【０１２５】
また、現像器４５４内には、トナー供給ローラ、帯電ローラ、静電搬送基板４５７、トナー戻しローラ４５８が設けられており、各色のトナーが収納されている。また、プロセスカートリッジ４４１の背面側には、光書き込み装置からのレーザビームが入射される窓口となるスリット４６０が設けられている。
【０１２６】
各光書き込み装置４４２Ｍ、４４２Ｃ、４４２Ｙ、４４２Ｂｋは、半導体レーザ、コリメートレンズ、ポリゴンミラー等の光偏向器、走査結像用光学系等から構成され、装置外部のパーソナルコンピュータ等のホスト（画像処理装置）から入力される各色用の画像データに応じて変調されたレーザビームを出射し、各プロセスカートリッジ４４１Ｍ、４４１Ｃ、４４１Ｙ、４４１Ｂｋの感光体４５２上を走査し、静電荷像（静電潜像）を書き込む。
【０１２７】
そして、画像形成が開始されると、各プロセスカートリッジ４４１Ｍ、４４１Ｃ、４４１Ｙ、４４１Ｂｋの感光体４５２が帯電ローラ４５３で均一に帯電され、各光書き込み装置４４２Ｍ、４４２Ｃ、４４２Ｙ、４４２Ｂｋから画像データに応じたレーザビームが照射されて各感光体上に各色の静電潜像が形成される。感光体４５２上に形成された静電潜像は、現像器４５４の静電搬送基板４５７で静電搬送された各色のトナーにより現像され顕像化される。感光体４５２と静電搬送基板４５７の対向部間にパスル状の現像バイアスが印加され、感光体４５２上の静電潜像が、静電搬送基板４５７で搬送されて来たトナーによりホッピング現象される。また、現像に供されなかったトナーは静電搬送基板４５７で搬送されてトナー戻しローラ４５８に戻される。
【０１２８】
各４４１Ｂｋ、４４１Ｙ、４４１Ｃ、４４１Ｍの各色の画像形成に同期して、供給カセット４４３内の記録用紙が供給ローラ４４４で給紙され、レジストローラ４４５により所定のタイミングで転写ベルト４４６に向けて搬送される。そして、記録用紙は転写ベルト４４６に担持されて４つのプロセスカートリッジ４４１Ｂｋ、４４１Ｙ、４４１Ｃ、４４１Ｍの感光体に向けて順次搬送され、各感光体上のＢｋ、Ｙ、Ｃ、Ｍの各色のトナー像が順次重ね合わせて転写される。４色のトナー像が転写された記録用紙は、定着ベルト４４７と加圧ローラ４４８からなる定着装置４４９に搬送され、４色のトナー像からなるカラー画像が定着されて排紙トレイ４５１に排紙される。
【０１２９】
この画像形成装置においては、図３９（ａ）〜（ｃ）に示すように、各光書き込み装置４４２Ｍ、４４２Ｃ、４４２Ｙ、４４２Ｂｋから出射するレーザビームのオン時間又はオフ時間を変化させることによってドットサイズを変化させることができる。
【０１３０】
さらに、インクジェット記録装置のヘッド構成も上記実施形態のものに限らず、発熱抵抗体を用いるサーマル型インクジェットヘッドや振動板と電極を用いる静電型インクジェットヘッドを搭載する装置などでもよい。また、上記実施形態では画像形成装置について適用しているが、画像表示装置に画像データを出力する場合の画像処理、階調再現にも同様に適用することができる。
【０１３１】
【発明の効果】
以上説明したように、本発明にかかる階調再現方法によれば、ディザマトリクスにより多階調画像が一部の濃度において閾値化されたときに、所定方向のライン基調に形成され、かつ基調以外の部分においてはハイパスフィルター特性を持つ構成としたので、低線数化を抑制することができて、ライン基調の連続性が高まり、特に低解像度／高速記録においても良好な画像品質が得られるようになる。
【０１３２】
本発明に係る閾値マトリクスによれば、少なくとも一部の濃度について、所定方向のライン基調に形成され、かつ基調以外の部分においてはハイパスフィルター特性を持つ構成としたので、低線数化を抑制することができて、ライン基調の連続性が高まり、特に低解像度／高速記録においても良好な画像品質が得られる階調再現を行うことができるようになる。
【０１３３】
本発明に係る画像処理方法によれば、多色画像を複数の色成分に分解し、少なくとも１つの色成分の原画像を入力画像として、ディザマトリクスを用いて各ドット２値あるいは多値の画像データに変換処理するときに、本発明に係る階調再現方法を実行するので、良好な画像品質が得られる。
【０１３４】
本発明に係る画像処理装置によれば、複数のドットからなる画像を出力するための画像データを処理するときに、本発明に係る画像処理方法を実行するので、良好な画像品質が得られる。
【０１３５】
本発明に係るプリンタドライバによれば、複数のドットからなる画像を形成する画像形成装置用の画像データを処理するときに、本発明に係る画像処理方法を実行するので、低解像度／高速記録においても良好な画像品質が得られる。
【０１３６】
本発明に係る画像形成装置によれば、複数のドットからなる画像を形成するときに、本発明に係る画像処理方法を実行するので、低解像度／高速記録においても良好な画像品質が得られる。
【図面の簡単な説明】
【図１】画像形成装置としてのインクジェット記録装置の一例を示す機構部の概略斜視説明図
【図２】同機構部の側面説明図
【図３】同記録装置のヘッドの一例を示す分解斜視説明図
【図４】同ヘッドの液室長手方向に沿う断面説明図
【図５】図４の要部拡大説明図
【図６】同ヘッドの液室短手方向に沿う断面説明図
【図７】同ヘッドのノズル板の平面説明図
【図８】同記録装置の制御部の概要を説明するブロック図
【図９】同制御部のヘッド駆動制御に係わる部分のブロック説明図
【図１０】図９のヘッド駆動回路の一例を示すブロック図
【図１１】同ヘッド駆動制御に係わる部分の作用説明に供する説明図
【図１２】本発明に係る閾値マトリクスを含む本発明に係るプリンタドライバを搭載した本発明に係る画像処理装置であるホスト側の構成の一例を説明するブロック図
【図１３】入力画像に対するＢａｙｅｒ型ディザ処理、誤差拡散処理後のドットパターンを示す説明図
【図１４】入力画像に対するＢａｙｅｒ型ディザ処理後の画像データを示す説明図
【図１５】３００ｄｐｉのＢａｙｅｒ型ディザパターンと誤差拡散パターンの粒状度を１０％濃度おきに測定したときの説明図
【図１６】インクジェット記録装置における機械的な変動要因を説明するための説明図
【図１７】Ｂａｙｅｒ型ディザパターンと記録装置の機械的変動との干渉の説明に供する説明図
【図１８】本発明に係る閾値マトリクスにおける斜め基調のドット配置パターンを説明する説明図
【図１９】電子写真記録装置の万線ディザパターンのドットパターンと階調レベルの基調変化の説明に供する説明図
【図２０】同手法をインクジェット記録装置に適用した場合のドットパターンと階調レベルの基調変化の説明に供する説明図
【図２１】ディザマスクをタイリングすることで形成される基調についての説明に供する説明図
【図２２】マスクが１階調レベル当たり１ドットの場合のタイリングと基調についての説明に供する説明図
【図２３】マスクが１階調レベル当たり２ドットの場合のタイリングと基調についての説明に供する説明図
【図２４】マスクが１階調レベル当たり３ドットの場合のタイリングと基調についての説明に供する説明図
【図２５】基本マトリクスからサブマトリクスへの分割の説明に供する説明図
【図２６】所定方向のライン基調を有するマトリクスパターンの異なる例を説明する説明図
【図２７】階調グラデーション画像と一部の濃度において低線数化したマトリクスパターンの例を説明する説明図
【図２８】人間の視覚特性を説明する説明図
【図２９】マトリクスパターンのハイパスフィルタ特性を有する基調以外の部分の説明図
【図３０】所定のライン基調と基調以外の部分でハイパスフィルタ特性を有するマトリクスによる階調グラデーション画像の説明に供する説明図
【図３１】一部濃度間のマトリクスの差分画像について説明する説明図
【図３２】本発明に係るマトリクスの極座標上のパワースペクトル分布の説明に供する説明図
【図３３】従来のベイヤー型ディザマトリクスの極座標上のパワースペクトル分布の説明に供する説明図
【図３４】従来の集中型ディザマトリクスの極座標上のパワースペクトル分布の説明に供する説明図
【図３５】本発明に係る画像形成装置の説明に供するブロック図
【図３６】熱転写記録装置の概略説明図
【図３７】電子写真方法を用いる画像形成装置の概略構成図
【図３８】同画像形成装置のプロセスカートリッジの概略構成図
【図３９】ドットサイズの変更の説明に供する説明図
【図４０】２値化および少値化により階調表現を行ったときに実際に配置されるドットの説明に供する説明図
【図４１】ディザ法による２値化処理の説明に供する説明図
【図４２】少値化処理におけるサイズ変調ドットとディザマスクの対応の説明に供する説明図
【図４３】各ドットサイズのディザマスクの一例を説明する説明図
【図４４】２値誤差拡散処理の手順について説明する説明図
【符号の説明】
１３…キャリッジ、１４…記録ヘッド、８７…駆動波形生成回路、８８…ヘッド駆動回路、９１…主制御部、１０１…プリンタドライバ、１０５…閾値マトリクス。
【図１】
2004080065.tif 000006
【図２】
2004080065.tif 000007
【図３】
2004080065.tif 000008
【図４】
2004080065.tif 000009
【図５】
2004080065.tif 000010
【図６】
2004080065.tif 000011
【図７】
2004080065.tif 000012
【図８】
2004080065.tif 000013
【図９】
2004080065.tif 000014
【図１０】
2004080065.tif 000015
【図１１】
2004080065.tif 000016
【図１２】
2004080065.tif 000017
【図１３】
2004080065.tif 000018
【図１４】
2004080065.tif 000019
【図１５】
2004080065.tif 000020
【図１６】
2004080065.tif 000021
【図１７】
2004080065.tif 000022
【図１８】
2004080065.tif 000023
【図１９】
2004080065.tif 000024
【図２０】
2004080065.tif 000025
【図２１】
2004080065.tif 000026
【図２２】
2004080065.tif 000027
【図２３】
2004080065.tif 000028
【図２４】
2004080065.tif 000029
【図２５】
2004080065.tif 000030
【図２６】
2004080065.tif 000031
【図２７】
2004080065.tif 000032
【図２８】
2004080065.tif 000033
【図２９】
2004080065.tif 000034
【図３０】
2004080065.tif 000035
【図３１】
2004080065.tif 000036
【図３２】
2004080065.tif 000037
【図３３】
2004080065.tif 000038
【図３４】
2004080065.tif 000039
【図３５】
2004080065.tif 000040
【図３６】
2004080065.tif 000041
【図３７】
2004080065.tif 000042
【図３８】
2004080065.tif 000043
【図３９】
2004080065.tif 000044
【図４０】
2004080065.tif 000045
【図４１】
2004080065.tif 000046
【図４２】
2004080065.tif 000047
【図４３】
2004080065.tif 000048
【図４４】
2004080065.tif 000049